(57)【特許請求の範囲】
【請求項１】
複数の画面部品を表示する表示面と、
前記画面部品を指示する指示物の前記表示面からの距離に関する情報と、前記指示物の前記表示面と平行な面内での位置に関する情報と、を検出する移動表示検出部と、
前記距離に関する情報と前記位置に関する情報に基づいて、表示規則により得られる前記表示面上の位置に選択規則により選択された画面部品を順番に移動表示させる画面部品移動描画部と、
を備え、
前記選択規則により選択され、順番に移動表示させられる画面部品の個数は、一つの前記指示物に対して複数である情報端末。
【請求項２】
前記表示規則は、検出された前記位置の直下の位置又は検出された前記位置の直下の位置の近傍のことである、請求項１記載の情報端末。
【請求項３】
前記選択規則は、ジャンル、又は決定された履歴に基づいて前記画面部品を選択することである、請求項１記載の情報端末。
【請求項４】
前記順番は、決定された履歴に基づいて決められる順番である、請求項１記載の情報端末。
【請求項５】
前記移動表示検出部によって、前記指示物が前記表示面に対して所定の距離よりも離れたことが検出されると、前記画面部品移動描画部は、移動表示された前記画面部品を前記移動表示させる前のそれぞれの元の状態へ戻す、請求項１記載の情報端末。
【請求項６】
前記移動表示検出部によって、前記指示物が前記表示面に対して所定の距離よりも短い確定距離以内に進入したこと、及び前記表示面と平行な面内での前記指示物の位置が検出されると、前記検出された前記指示物の位置の直下の前記表示面の位置に表示されている前記画面部品を判定し、前記画面部品が前記指示物により決定されたことを検出する決定位置判定部とを更に備えた、請求項１記載の情報端末。
【請求項７】
前記移動表示検出部によって、前記指示物が前記表示面に対して前記所定の距離以内に進入したこと、及び前記表示面と平行な面内での前記指示物の位置が検出されると、前記移動表示された画面部品を他の画面部品に変更するための変更画面部品を、検出された前記指示物の位置の直下の位置又はその位置の近傍に表示する変更画面部品表示部を更に備え、
前記画面部品移動描画部は、
前記変更画面部品が前記指示物によって決定されたことが前記決定位置判定部によって検出された場合には、前記変更させるために、前記移動表示された画面部品を前記移動表示させる前の元の状態へ戻し、前記選択規則とは異なる第２選択規則に基づいて選択された画面部品を順番に、前記移動表示検出部で検出された前記指示物の前記位置に基づいて前記表示規則とは異なる第２表示規則により得られる前記表示面の位置に移動表示させる、請求項６記載の情報端末。
【請求項８】
前記移動表示検出部によって、前記指示物が前記表示面に対して前記所定の距離以内に進入したこと、及び前記表示面と平行な面内での前記指示物の位置が検出されると、前記移動表示された画面部品に他の画面部品を追加するための追加画面部品を、検出された前記指示物の位置の直下の位置又はその位置の近傍に表示する追加画面部品表示部を更に備え、
前記画面部品移動描画部は、
前記追加画面部品が前記指示物によって決定されたことが前記決定位置判定部によって検出された場合には、前記追加するために、前記移動表示された画面部品を前記移動表示させる前の元の状態に戻さず、前記選択規則とは異なる第２選択規則に基づいて選択された画面部品を順番に、前記移動表示検出部で検出された前記指示物の前記位置に基づいて前記表示規則とは異なる第２表示規則により得られる前記表示面の位置に移動表示させる、請求項６記載の情報端末。
【請求項９】
前記画面部品移動描画部は、前記移動表示された画面部品を前記移動表示させる前の元の状態に戻す際にも、決められた順番に戻す、請求項５又は７記載の情報端末。
【請求項１０】
前記変更画面部品が前記指示物によって決定された際には、前記変更画面部品表示部は、前記変更画面部品を消去する、請求項７記載の情報端末。
【請求項１１】
前記追加画面部品が前記指示物によって決定された際には、前記追加画面部品表示部は、前記追加画面部品を消去する、請求項８記載の情報端末。
【請求項１２】
前記移動表示検出部で検出した前記指示物の位置に応じて、移動表示させる前記選択された画面部品の群は、互いに少なくとも一部は異なっている、請求項１記載の情報端末。
【請求項１３】
前記移動表示検出部は、前記画面部品を指示する指示物の前記表示面からの距離に関する情報と、前記指示物の前記表示面と平行な面内での位置に関する情報とを静電容量方式で検出するために、前記表示面に隣り合って配置された静電容量パネルを有している、請求項１記載の情報端末。
【請求項１４】
前記画面部品を指示する指示物の前記表示面からの距離に関する情報とは、前記画面部品を指示する指示物が、前記表示面に対して、ｎ（ｎは１以上の自然数）種類の所定距離のそれぞれ以内に進入したことである、請求項１記載の情報端末。
【請求項１５】
複数の画面部品を表示する表示ステップと、
前記画面部品を指示する指示物の前記表示面からの距離に関する情報と、前記指示物の前記表示面と平行な面内での位置に関する情報と、を検出する移動表示検出ステップと、
前記距離に関する情報と前記位置に関する情報に基づいて、表示規則により得られる前記表示面上の位置に選択規則により選択された画面部品を順番に移動表示させる画面部品移動描画ステップと、
を備え、
前記選択規則により選択され、順番に移動表示させられる画面部品の個数は、一つの前記指示物に対して複数である画面部品表示方法。
【請求項１６】
請求項１５記載の画面部品表示方法の、少なくとも、
複数の画面部品を表示する表示ステップと、
前記画面部品を指示する指示物の前記表示面からの距離に関する情報と、前記指示物の前記表示面と平行な面内での位置に関する情報と、を検出する移動表示検出ステップと、
前記距離に関する情報と前記位置に関する情報に基づいて、表示規則により得られる前記表示面上の位置に選択規則により選択された画面部品を順番に移動表示させる画面部品移動描画ステップとをコンピュータに実行させるプログラム。
【請求項１７】
請求項１６記載のプログラムを記録した記録媒体であって、コンピュータにより処理可能な記録媒体。
【発明の詳細な説明】
【技術分野】
【０００１】
本発明は、情報端末及び画面部品表示方法等に関する。
【背景技術】
【０００２】
近年、ＰＤＡ、スマートフォン、タブレットＰＣ、カーナビゲーションシステム等の情報端末が普及している。これらの情報端末は、一般的に小型化のためディスプレイに表示されるアイコン等のＧＵＩ（Graphical User Interface）の画面部品をタッチペンや指でタッチすることにより情報の入力を行うタッチパネルが採用されている。タッチパネルでは、表示画面に複数のアイコン等を含む画面部品が表示され、スタイラスや指でタッチすることにより、アイコンの決定がされ、アイコンに割り当てられているアプリケーションプログラムを起動することが出来る。
【０００３】
このような情報端末では、アイコンの決定を行うには、タッチパネルに触れる必要があったが、他方タッチパネルに指を近づけるとタッチパネル上のアイコンが指の周囲に集められるという情報端末が開示されている（例えば、特許文献１参照。）。図２４は、特許文献１に示す情報端末の表示画面を示す図である。図２４に示す中央の検出エリア１００の上方の空間に指が近づくと、表示画面１０１の両端に表示されていたアイコン１０２が中央に集められる（矢印参照）。
【先行技術文献】
【特許文献】
【０００４】
【特許文献１】特開２００８−１１７３７１号公報
【発明の概要】
【発明が解決しようとする課題】
【０００５】
しかしながら、上記特許文献１の情報端末では、表示されている全てのアイコンが指の周囲に移動するため、アイコンが大量に表示されている場合、所望のアイコンを見付けにくいという問題があった。
【０００６】
又、表示されている全てのアイコンが一気に移動するため、アイコンの移動する前の元の位置が分かり難かった。
【０００７】
本発明は、上記従来の情報端末の課題を考慮し、所望の画面部品を見付けやすく、画面部品の移動する前の元の状態が分かりやすい情報端末及び画面部品表示方法を提供することを目的とする。
【課題を解決するための手段】
【０００８】
上記目的を達成するために、第１の本発明は、
複数の画面部品を表示する表示面と、
前記画面部品を指示する指示物の前記表示面からの距離に関する情報と、前記指示物の前記表示面と平行な面内での位置に関する情報と、を検出する移動表示検出部と、
前記距離に関する情報と前記位置に関する情報に基づいて、表示規則により得られる前記表示面上の位置に選択規則により選択された画面部品を順番に移動表示させる画面部品移動描画部と、
を備え、
前記選択規則により選択され、順番に移動表示させられる画面部品の個数は、一つの前記指示物に対して複数である情報端末である。
【０００９】
第２の本発明は、
前記表示規則は、検出された前記位置の直下の位置又は検出された前記位置の直下の位置の近傍のことである、第１の本発明の情報端末である。
【００１０】
第３の本発明は、
前記選択規則は、ジャンル、又は決定された履歴に基づいて前記画面部品を選択することである、第１の本発明の情報端末である。
【００１１】
第４の本発明は、
前記順番は、決定された履歴に基づいて決められる順番である、第１の本発明の情報端末である。
【００１２】
第５の本発明は、
前記移動表示検出部によって、前記指示物が前記表示面に対して所定の距離よりも離れたことが検出されると、前記画面部品移動描画部は、移動表示された前記画面部品を前記移動表示させる前のそれぞれの元の状態へ戻す、第１の本発明の情報端末である。
【００１３】
第６の本発明は、
前記移動表示検出部によって、前記指示物が前記表示面に対して所定の距離よりも短い確定距離以内に進入したこと、及び前記表示面と平行な面内での前記指示物の位置が検出されると、前記検出された前記指示物の位置の直下の前記表示面の位置に表示されている前記画面部品を判定し、前記画面部品が前記指示物により決定されたことを検出する決定位置判定部とを更に備えた、第１の本発明の情報端末である。
【００１４】
第７の本発明は、
前記移動表示検出部によって、前記指示物が前記表示面に対して前記所定の距離以内に進入したこと、及び前記表示面と平行な面内での前記指示物の位置が検出されると、前記移動表示された画面部品を他の画面部品に変更するための変更画面部品を、検出された前記指示物の位置の直下の位置又はその位置の近傍に表示する変更画面部品表示部を更に備え、
前記画面部品移動描画部は、
前記変更画面部品が前記指示物によって決定されたことが前記決定位置判定部によって検出された場合には、前記変更させるために、前記移動表示された画面部品を前記移動表示させる前の元の状態へ戻し、前記選択規則とは異なる第２選択規則に基づいて選択された画面部品を順番に、前記移動表示検出部で検出された前記指示物の前記位置に基づいて前記表示規則とは異なる第２表示規則により得られる前記表示面の位置に移動表示させる、第６の本発明の情報端末である。
【００１５】
第８の本発明は、
前記移動表示検出部によって、前記指示物が前記表示面に対して前記所定の距離以内に進入したこと、及び前記表示面と平行な面内での前記指示物の位置が検出されると、前記移動表示された画面部品に他の画面部品を追加するための追加画面部品を、検出された前記指示物の位置の直下の位置又はその位置の近傍に表示する追加画面部品表示部を更に備え、
前記画面部品移動描画部は、
前記追加画面部品が前記指示物によって決定されたことが前記決定位置判定部によって検出された場合には、前記追加するために、前記移動表示された画面部品を前記移動表示させる前の元の状態に戻さず、前記選択規則とは異なる第２選択規則に基づいて選択された画面部品を順番に、前記移動表示検出部で検出された前記指示物の前記位置に基づいて前記表示規則とは異なる第２表示規則により得られる前記表示面の位置に移動表示させる、第６の本発明の情報端末である。
【００１６】
第９の本発明は、
前記画面部品移動描画部は、前記移動表示された画面部品を前記移動表示させる前の元の状態に戻す際にも、決められた順番に戻す、第５又は７の本発明の情報端末である。
【００１７】
第１０の本発明は、
前記変更画面部品が前記指示物によって決定された際には、前記変更画面部品表示部は、前記変更画面部品を消去する、第７の本発明の情報端末である。
【００１８】
第１１の本発明は、
前記追加画面部品が前記指示物によって決定された際には、前記追加画面部品表示部は、前記追加画面部品を消去する、第８の本発明の情報端末である。
【００１９】
第１２の本発明は、
前記移動表示検出部で検出した前記指示物の位置に応じて、移動表示させる前記選択された画面部品の群は、互いに少なくとも一部は異なっている、第１の本発明の情報端末である。
【００２０】
第１３の本発明は、
前記移動表示検出部は、前記画面部品を指示する指示物の前記表示面からの距離に関する情報と、前記指示物の前記表示面と平行な面内での位置に関する情報とを静電容量方式で検出するために、前記表示面に隣り合って配置された静電容量パネルを有している、第１の本発明の情報端末である。
【００２１】
第１４の本発明は、
前記画面部品を指示する指示物の前記表示面からの距離に関する情報とは、前記画面部品を指示する指示物が、前記表示面に対して、ｎ（ｎは１以上の自然数）種類の所定距離のそれぞれ以内に進入したことである、第１の本発明の情報端末である。
【００２２】
第１５の本発明は、
複数の画面部品を表示する表示ステップと、
前記画面部品を指示する指示物の前記表示面からの距離に関する情報と、前記指示物の前記表示面と平行な面内での位置に関する情報と、を検出する移動表示検出ステップと、
前記距離に関する情報と前記位置に関する情報に基づいて、表示規則により得られる前記表示面上の位置に選択規則により選択された画面部品を順番に移動表示させる画面部品移動描画ステップと、
を備え、
前記選択規則により選択され、順番に移動表示させられる画面部品の個数は、一つの前記指示物に対して複数である画面部品表示方法である。
【００２３】
第１６の本発明は、
第１５の本発明の画面部品表示方法の、少なくとも、
複数の画面部品を表示する表示ステップと、
前記画面部品を指示する指示物の前記表示面からの距離に関する情報と、前記指示物の前記表示面と平行な面内での位置に関する情報と、を検出する移動表示検出ステップと、
前記距離に関する情報と前記位置に関する情報に基づいて、表示規則により得られる前記表示面上の位置に選択規則により選択された画面部品を順番に移動表示させる画面部品移動描画ステップとをコンピュータに実行させるプログラムである。
【００２４】
第１７の本発明は、
第１６の本発明のプログラムを記録した記録媒体であって、コンピュータにより処理可能な記録媒体である。
【発明の効果】
【００２５】
本発明によれば、所望の画面部品を見付けやすく、画面部品の移動する前の元の状態が分かりやすい情報端末及び画面部品表示方法を提供することが出来る。
【図面の簡単な説明】
【００２６】
【図１】本発明にかかる実施の形態１における情報端末の正面構成図
【図２（ａ）】本発明にかかる実施の形態１における表示部と非接触入力部の側面構成図
【図２（ｂ）】本発明にかかる実施の形態１における表示部と非接触入力部の斜視構成図
【図３】本発明にかかる実施の形態１における情報端末のブロック図
【図４】本発明にかかる実施の形態１における情報端末の制御フロー図
【図５】（ａ）、（ｂ）本発明にかかる実施の形態１における情報端末の制御を説明するための表示面を示す図
【図６】本実施の形態１の表示部と非接触入力部の側面を模式的に示した図
【図７（ａ）】本発明にかかる実施の形態１における情報端末の制御を説明するための表示面を示す図
【図７（ｂ）】本発明にかかる実施の形態１における情報端末の制御を説明するための表示面を示す図
【図７（ｃ）】本発明にかかる実施の形態１における情報端末の制御を説明するための表示面を示す図
【図７（ｄ）】本発明にかかる実施の形態１における情報端末の制御を説明するための表示面を示す図
【図８】本発明にかかる実施の形態１における情報端末の制御を説明するための表示面を示す図
【図９】本発明にかかる実施の形態１における情報端末をコンピュータに適用した構成図
【図１０】本発明にかかる実施の形態１における情報端末の制御を説明するための表示面を示す図
【図１１】（ａ）、（ｂ）本発明にかかる実施の形態１における情報端末の制御を説明するための表示面を示す図
【図１２（ａ）】本発明にかかる実施の形態１における情報端末の制御を説明するための表示面を示す図
【図１２（ｂ）】本発明にかかる実施の形態１における情報端末の制御を説明するための表示面を示す図
【図１２（ｃ）】本発明にかかる実施の形態１における情報端末の制御を説明するための表示面を示す図
【図１３】（ａ）（ｂ）本発明にかかる実施の形態１における情報端末の制御を説明するための表示面を示す図
【図１４】本発明にかかる実施の形態２における情報端末の正面構成図
【図１５】（ａ）（ｂ）本発明にかかる実施の形態２における情報端末の制御を説明するための表示面を示す図
【図１６】本発明にかかる実施の形態３における表示部と非接触入力部の側面構成図
【図１７】（ａ）（ｂ）本発明にかかる実施の形態３において変更アイコンの周囲に移動表示されたアイコンの表示位置を説明するための図
【図１８】（ａ）本発明にかかる実施の形態３における情報端末の動作を説明するためのアイコンの配置を示す正面図、（ｂ）本発明にかかる実施の形態３における情報端末の情報端末の底面図
【図１９】（ａ）本発明にかかる実施の形態３における情報端末の動作を説明するためのアイコンの配置を示す正面図、（ｂ）本発明にかかる実施の形態３における情報端末の情報端末の底面図
【図２０】（ａ）本発明にかかる実施の形態３における情報端末の動作を説明するためのアイコンの配置を示す正面図、（ｂ）本発明にかかる実施の形態３における情報端末の情報端末の底面図
【図２１】（ａ）本発明にかかる実施の形態３における情報端末の動作を説明するためのアイコンの配置を示す正面図、（ｂ）本発明にかかる実施の形態３における情報端末の情報端末の底面図
【図２２】（ａ）本発明にかかる実施の形態３における情報端末の動作を説明するためのアイコンの配置を示す正面図、（ｂ）本発明にかかる実施の形態３における情報端末の情報端末の底面図
【図２３】（ａ）本発明にかかる実施の形態３における情報端末の動作を説明するためのアイコンの配置を示す正面図、（ｂ）本発明にかかる実施の形態３における情報端末の情報端末の底面図
【図２４】従来の情報端末の表示面を示す図
【発明を実施するための形態】
【００２７】
以下、本発明の実施の形態を図面に基づいて詳細に説明する。
【００２８】
（実施の形態１）
以下に、本発明にかかる実施の形態１における情報端末について説明する。
【００２９】
図１は、本発明の実施の形態１の情報端末の正面図である。図１に示すように、本実施の形態１の情報端末１０には、表示部１１が設けられており、表示部１１の表示面である表示面１１ａには、本発明の画面部品の一例である複数のアイコン１２が表示されている。複数のアイコン１２は、図中表示部１１の上部の表示エリア１３に縦及び横方向に整列して表示されている。また、表示面１１ａの表示エリア１３の下側には、指の接近を検出し、アイコン１２を移動して表示させるための検出エリア１４が設けられている。尚、表示部１１としては、液晶ディスプレイ、有機ＥＬディスプレイ等が挙げられる。本実施の形態では、アイコン１２を例に挙げているが、画面に表示するものとしてコンテンツの一部を表すサムネイル、縮小画像、文字、あるいは文字列などのようなものを総称して画面部品と呼び、画面部品が表示部１１に現れるように構成することが出来る。
【００３０】
図２（ａ）は、本実施の形態１の表示部１１及びその上側に配置された非接触入力部１５の側断面構成図である。また、図２（ｂ）は、本実施の形態１の情報端末１０の斜視構成図である。図２に示すように、本実施の形態１の情報端末１０は、表示部１１の上側に非接触入力部１５が設けられており、この非接触入力部１５によって指５０が表示面１１ａへ接近した時の指５０の３次元的な位置情報を検出することが出来る。この非接触入力部１５としては、本実施の形態では静電容量方式が用いられている。
【００３１】
又、図２（ｂ）に示すように、非接触入力部１５の表面１５ａから垂直上方をＺ軸正方向とし、表面１５ａの一つの隅を原点とし、図２（ａ）中右方向をＹ軸正方向、図中手前方向をＸ軸正方向とする。
【００３２】
本実施の形態では、表面１５ａからＺ１よりも高い位置は非検出領域１９として設定されており、指５０が存在していても検出されない領域となっている。表面１５ａからＺ１以内の領域は、検出領域１６として設定されており、指５０の存在が検出される。この検出領域１６は２つに分けられており、表面１５ａからＺ２までの決定領域１８と、Ｚ２からＺ１までの移動表示領域１７に分けられている。Ｚ１における表示面１１ａと平行な面が面Ｐとして点線で図示されており、Ｚ２における表示面１１ａと平行な面が面Ｑとして点線で図示されている。詳しくは後述するが、移動表示領域１７から決定領域１８に指５０が侵入すると、指５０の直下に表示されているアイコン１２が指５０によって決定されたことになる。
【００３３】
本実施の形態では、表示面１１ａの上側の非接触入力部１５にマトリックス状に検出ポイント１５ｂが形成されており、指５０が近づくに従って、その指５０の直下近傍の検出ポイントにおいて静電容量の変化量が大きくなる。そして、最大の変化量を検出した検出ポイント１５ｂにおける静電容量の変化量から、その検出ポイント１５ｂに対してどの程度の位置（Ｚ軸方向の位置）まで指５０が接近したかが検出される。すなわち、非検出領域１９と移動表示領域１７の間、及び移動表示領域１７と決定領域１８の間における指５０の出入りを検出することが出来る。又、静電容量の変化量が最大の検出ポイント１５ｂを検出することによって、表示面１１ａと平行な面における指５０の位置（ＸＹ座標）が検出される。すなわち、非検出領域１９と移動表示領域１７の間を指５０が出入りする際に、その境界面である面Ｐにおける位置（ＸＹ座標）を検出でき、移動表示領域１７と決定領域１８の間を指５０が出入りする際に、その境界面である面Ｑにおける位置（ＸＹ座標）を検出することが出来る。尚、本発明の所定の距離の一例は、本実施の形態のＺ１と非接触入力部１５の厚みｈ（図２（ａ）参照）を足した長さに相当し、本発明の確定距離の一例は、本実施の形態のＺ２と非接触入力部１５の厚みｈを足した長さに相当する。
【００３４】
又、本実施の形態では、指５０の３次元的な位置を検出するために静電容量方式を用いているが、赤外線方式を用いてもよく、その場合には、例えば表示面１１ａの端に複数の赤外線照射部と受光部を設け、指によって赤外線が遮られることを検出することによって指の３次元的な位置が検出される。
【００３５】
図３は、本実施の形態１の情報端末１０のブロック図である。図３に示すように、本実施の形態１の情報端末１０には、上述した表示部１１が設けられており、表示部１１の表示面１１ａの上方の空間である移動表示空間１７に指５０が進入したことを検知する第１検出部２０と、移動表示空間１７に指５０が進入したことが検出されると、表示面１１ａと水平な平面（図２（ｂ）の面Ｐ）における指５０の位置を検出する第２検出部２１と、第２検出部２１によって指５０の位置が検出されると、予め設けられている選択規則に基づいて移動表示されるアイコンを選択する移動アイコン選択部２９と、第２検出部２１によって検出された指５０の位置の直下の表示面１１ａの位置の周囲に、選択されたアイコン１２を移動表示させるアイコン移動描画部２２と、第２検出部２１によって検出された指５０の位置の直下の表示面１１ａの位置に、移動表示されたアイコン１２を変更するための変更アイコン３０（後述する図５（ｂ）参照）を表示させる変更アイコン表示部２３が設けられている。
【００３６】
又、指５０が移動表示領域１７から非検出領域１９へと移動したことを検出し、その検出結果を変更アイコン表示部２３とアイコン移動描画部２２へ送信する第３検出部２４と、指５０が非検出領域１９へと進入した位置（面ＰのＸＹ座標の位置）を検出する第７検出部３３が設けられており、第３検出部２４及び第７検出部３３によって指５０の検出エリア１４上の空間における非検出領域１９への指５０の移動が検出されると、変更アイコン表示部２３は変更アイコン３０を消去し、アイコン移動描画部２２はアイコン１２を元の状態に戻す。
【００３７】
また、指５０が移動表示領域１７から決定領域１８へと進入したことを検出する第４検出部２５と、決定領域１８に指５０が進入したことが検出されると、表示面１１ａと水平な面（図２（ｂ）の面Ｑ）における指５０の位置を検出する第５検出部２６が設けられている。指５０が移動表示領域１７から決定領域１８へと進入したという検出結果は変更アイコン表示部２３へ送信される。この第５検出部２６によって検出された指５０の位置の直下に、どのアイコンが表示されているかを判定し、表示されているアイコン１２が指５０によって決定されたものとする決定位置判定部２７が設けられている。この決定位置判定部２７によって、移動表示されたアイコン１２が決定されたと判定された場合には、そのアイコン１２に割り当てられたアクションを実施する指示部２８が設けられている。一方、決定位置判定部２７によって変更アイコン３０が決定されたと判定された場合には、その旨が移動アイコン選択部２９へと送信され、他の規則に基づいて移動させるアイコンが選択される。また、アイコン移動描画部２２によって、移動されて集められて表示されているアイコン１２は元の状態へと戻され、移動アイコン選択部２９によって、予め設けられている選択規則とは異なる他の選択規則によって選択された他のアイコンが移動され、集められて表示される。
【００３８】
また、決定領域１８から移動表示領域１７へと指５０が移動したことを検出する第６検出部３１と、移動表示領域１７へと指５０が進入した位置（面ＱのＸＹ座標の位置）を検出する第８検出部３４が設けられており、第６検出部３１及び第８検出部３４によって指５０の検出エリア１４上の空間における移動表示領域１７への指５０の移動が検出されると、変更アイコン表示部２３は、変更アイコン３０を表示面１１ａに表示する。
【００３９】
尚、図３に示すブロック図における第１検出部２０、第２検出部２１、第３検出部２４、第４検出部２５、第５検出部２６、第６検出部３１、第７検出部３３、及び第８検出部３４には、いずれも図２に示した非接触入力部１５が用いられている。この非接触入力部１５から得られる静電容量を所定間隔でサンプリングすることによって所定時間毎の指５０の３次元位置の変化が検出できるので、指５０の移動を検出することが出来る。
【００４０】
すなわち、第１検出部２０、第２検出部２１、第３検出部２４、第４検出部２５、第５検出部２６、第６検出部３１、第７検出部３３、及び第８検出部３４は、非接触入力部１５と、非接触入力部１５から得られる静電容量値から指の３次元位置を演算する演算部を有している。
【００４１】
又、本発明の移動表示検出部の一例は、本実施の形態の第１検出部２０、第２検出部２１、第３検出部２４、第４検出部２５、及び第５検出部２６に相当する。
【００４２】
又、本発明の画面部品移動描画部の一例は、本実施の形態のアイコン移動描画部２２に相当する。本発明の変更画面部品表示部の一例は、本実施の形態の変更アイコン表示部２３に相当する。
【００４３】
次に、本実施の形態１の情報端末１０の動作について説明するとともに、本発明の画面部品表示方法の一例についても同時に述べる。
【００４４】
図４は、本実施の形態１の情報端末１０の制御を示すフロー図である。例えば、情報端末１０の電源（図示せず）を投入することにより、表示面１１ａには、図１に示すように配列された複数のアイコン１２が表示される。このようにアイコン１２を表示するステップが、本発明の表示ステップの一例に相当する。尚、図１に示す状態におけるそれぞれのアイコン１２の位置を、以下、初期位置ともいう。
【００４５】
上記アイコン１２の表示とともに、表示面１１ａの垂直方向（図２中Ｚ軸方向）の空間における指５０の検出が開始される。この検出は、上述した非接触入力部１５によって行われるが、静電容量方式を用いている場合には、上述したように一定のサンプリング周期で静電容量をサンプリングすることによって、指５０が接近すること若しくは離れることを検出することが可能となる。
【００４６】
はじめに、指５０が表示面１１ａの検出エリア１４上の空間において非検出領域１９から移動表示領域１７に移動した場合について説明する。
【００４７】
Ｓ１０において、第１検出部２０によって、指５０が表示面１１ａの検出エリア１４上の空間において非検出領域１９から移動表示領域１７に進入したことが検出されると、第２検出部２１によって指５０が移動表示領域１７に進入した位置（面Ｐを通過する指５０のＸＹ座標位置）が検出される。この第２検出部２１による検出によって検出エリア１４上の位置で指５０が移動したことも同時に検出される。尚、本実施の形態では、静電容量方式を用いた非接触入力部１５によって、非検出領域１９から移動表示領域１７に指５０が進入したことと、指５０が移動表示領域１７に進入した際の面Ｐ上のＸＹ座標の位置は同時に検出される。
【００４８】
具体的には、あるサンプリング時における指５０の位置が検出されず、次のサンプリング時において指５０が移動表示領域１７内の位置で検出された場合、指５０が、非検出領域１９から移動表示領域１７へと移動したことが分かる。更に、この時の指５０が検出された移動表示領域１７内の位置が、指５０が移動表示領域１７へ進入した際の面Ｐ上のＸＹ座標の位置とすることが出来る。
【００４９】
また、本発明の移動表示検出ステップの一例は、本実施の形態において、第１検出部２０によって、指５０が表示面１１ａの検出エリア１４上の空間において非検出領域１９から移動表示領域１７に進入したこと、及び第２検出部２１によって指５０が移動表示領域１７に進入した位置（面Ｐを通過する指５０のＸＹ座標位置）が検出されることに相当する。
【００５０】
次に、Ｓ１１において、変更アイコン表示部２３によって、指５０が移動表示領域１７に進入した位置の直下の表示面１１ａの位置に、変更アイコン３０が表示される。図５（ａ）は、指５０が非接触入力部１５によって検出されていない状態における表示面１１ａのアイコンの表示状態を示す図である。又、図５（ｂ）は、指５０が非検出領域１９から移動表示領域１７に進入した時の表示面１１ａのアイコンの表示状態を示す図である。図５（ａ）、（ｂ）に示すように、移動表示領域１７に進入した指５０の直下の表示面１１ａの位置に、変更アイコン３０が表示される。尚、図５（ａ）に示すように、アイコン１２Ａ、１２Ｂ、１２Ｃ、１２Ｄ、１２Ｅ、１２Ｆは、それぞれＡ、Ｂ、Ｃ、Ｄ、Ｅ、Ｆのように省略して示されており、以下の図でも同様に省略して示す。
【００５１】
次に、Ｓ１２において、図５（ｂ）に示すように、移動アイコン選択部２９によって予め設けられている所定の選択規則に基づいて、情報端末１０に存在するアイコン１２のなかから移動表示されるアイコン１２が選択される。この予め設けられている所定の選択規則としては、決定された履歴の新しい順、決定された回数の多い順、インターネットエクスプローラー等の「お気に入り」に登録された順、アプリケーションのジャンル（ゲーム、プレーヤー、ネットアプリケーション）ごとに関連性のあるものなどとすることが出来る。図５（ｂ）では、アイコン１２Ａ、１２Ｂ、１２Ｃが選択されている。
【００５２】
次に、Ｓ１３において、アイコン移動描画部２２によって、選択されたアイコン１２Ａ、１２Ｂ、１２Ｃが、１つずつ順に時間差で変更アイコン３０の周囲の所定位置に移動表示されて集められ、制御が完了する。
【００５３】
ここで、移動表示とは、移動前の表示位置から、移動後の表示位置までの間、アイコンを少しずつ移動した位置で表示させることにより、アイコンが移動しているようにユーザに視認させることである。
【００５４】
この変更アイコン３０の周囲の所定位置が、本発明の表示規則により得られる表示面の位置の一例に相当する。これらＳ１２、Ｓ１３が、本発明の画面部品移動描画ステップの一例に相当する。
【００５５】
尚、図５（ｂ）では、移動表示される前の初期位置が点線で示されており、以降の図においても同様である。また、アイコン１２Ａ、１２Ｂ、１２Ｃは、変更アイコン３０から距離ｎの実質同心円上に表示されている。図中、１、２、３でアイコン１２Ａ、１２Ｂ、１２Ｃの移動順が図示されている。移動する順としては、たとえば、再生履歴順、再生回数の多い順、評価の高い順、お気に入り登録された順、などが挙げられる。尚、本実施の形態では、予め設けられている選択規則に基づいて、情報端末に存在するアイコンのなかから移動表示されるアイコンが選択されていたが、移動表示されるアイコン自体が予め決められていても良い。すなわち、選択規則ではなく、移動表示されるアイコンが決められていても良い。
【００５６】
次に、指５０が表示面１１ａの検出エリア１４上の空間において移動表示領域１７から決定領域１８に移動した場合について説明する。
【００５７】
Ｓ２０において、移動表示領域１７から決定領域１８へと指５０が通過したことが第４検出部２５によって検出され、第５検出部２６によって指が移動表示領域１７から決定領域１８へと進入した位置（面Ｑを通過する指５０のＸＹ座標の位置）が検出される。この第５検出部２６による検出によって検出エリア１４上の位置で指５０が移動したことも同時に検出される。尚、本実施の形態では、静電容量方式を用いた非接触入力部１５によって、移動表示領域１７から決定領域１８へと指５０が通過したことと、決定領域１８に進入した際の面Ｑ上のＸＹ座標の位置は同時に検出される。
【００５８】
具体的には、あるサンプリング時における指５０の位置が移動表示領域１７内で検出され、次のサンプリング時における指５０の位置が決定領域１８内で検出された場合には、指５０が移動表示領域１７から決定領域１８へと移動したことが分かる。また、この時の決定領域１８内で指５０が検出された位置を、決定領域１８へと指が進入した位置（面Ｑを通過する指５０のＸＹ座標の位置）とすることが出来る。尚、最後に移動表示領域１７内で検出された指５０の位置を決定領域１８へと指が進入した位置としても良いし、上記２つのサンプリング時における移動表示領域１７内の指５０の位置と決定領域１８内の指５０の位置を結ぶ線と面Ｑとの交点を、決定領域１８へと指５０が進入した位置としてもよい。
【００５９】
次に、Ｓ２１において、決定位置判定部２７によって、第５検出部２６によって検出された指５０の位置の直下に、どのアイコンが表示されているかが判定され、表示されているアイコン１２が指５０によって決定されたものとする。図６は、本実施の形態１の表示部１１と非接触入力部１５の側面を模式的に示した図である。図６には、図５（ｂ）に示されたアイコン１２Ａ、１２Ｂ、１２Ｃ及び変更アイコン３０が示されている。尚、図６では、図５（ｂ）と異なり、アイコン１２Ａ、１２Ｂ、１２Ｃ及び変更アイコン３０が直線上に並んで配列されているが、これは説明のための記載である。また、図６では、検出エリア１４及び表示エリア１３の区別はしていない。例えば、図６の指５０´に示すような位置で、指が移動表示領域１７から決定領域１８へと通過した場合には、その直下に表示されているアイコン１２Ａが決定されたことになる。又、指５０´´に示すような位置で、指が移動表示領域１７から決定領域１８へと通過した場合には、その直下に表示されている変更アイコン３０が決定されたことになる。
【００６０】
続いて、Ｓ２２において、変更アイコン表示部２３によって変更アイコン３０が消去される。
【００６１】
そして、Ｓ２３において、上記Ｓ２１で変更アイコン３０が決定されていたか否かが判定され、変更アイコン３０が決定されていた場合には、制御はＳ２４へと進み、変更アイコン３０が決定されていない場合には、制御はＳ２７へと進む。
【００６２】
変更アイコン３０が決定されていた場合、Ｓ２４において、アイコン移動描画部２２によって移動表示されているアイコン１２Ａ、１２Ｂ、１２Ｃが元の状態（図１に示す初期状態）に戻される。図７（ａ）は、変更アイコン３０が決定された時の表示面１１ａのアイコンの表示状態を示す図である。図７（ａ）に示すように、変更アイコン３０は消去されており、移動表示されたアイコン１２Ｃ、１２Ｂ、１２Ａは、図中に示す番号の順に元の状態へと戻される。
【００６３】
そして、Ｓ２５において、移動アイコン選択部２９によって、はじめに用いた選択規則とは異なる選択規則に基づいて、次に移動表示されるアイコン１２が選択される。例えば、はじめに用いた選択規則として、１回目に移動表示させるアイコンを、決定された履歴の新しい順とし、異なる選択規則として、次に移動表示させるアイコンを、決定された回数の多い順とするように異なる選択規則を予め設けておくことが出来る。また、１回目に移動表示させるアイコンを音楽のジャンルに関するアイコンとし、次に移動表示させるアイコンを映画のジャンルに関するアイコンというようにすることも出来る。このように、変更アイコン３０が決定された場合のアイコンの切替内容としては、様々な内容が挙げられ、履歴の種類の切り替え、ジャンルの切り替え、アーティストの切り替え、アルバムの切り替え、プレイリストの切り替え、などが挙げられる。尚、本発明の選択規則の一例は、本実施の形態では、はじめに用いた選択規則に相当し、本発明の第２選択規則の一例は、本実施の形態では、はじめに用いた選択規則とは異なる選択規則に相当する。
【００６４】
又、図７（ｂ）に示すような、変更アイコン３０の周囲の所定位置が、本発明の第２表示規則により得られる表示面上の位置の一例に相当する。
【００６５】
次に、Ｓ２６において、図７（ｂ）に示すように、Ｓ２５で選択されたアイコン１２Ｄ、１２Ｅ、１２Ｆが、アイコン移動描画部２２によって順に変更アイコン３０が表示されていた位置の周囲に移動表示して集められる。
【００６６】
一方、Ｓ２３において変更アイコン３０が決定されていないと判定された場合には、Ｓ２７において移動表示されたアイコン１２Ａ、１２Ｂ、１２Ｃが決定されていたか否かの判定が行われる。
【００６７】
そして、Ｓ２７において移動表示されたアイコン１２Ａ、１２Ｂ、１２Ｃのうちいずれかのアイコンが決定されたと判定された場合には、Ｓ２８において指示部２８によってアイコンごとに割り当てられたアプリケーションが起動される。決定されたアイコンが、例えば、ゲームに関するアイコンの場合には、ゲームが起動し、音楽に関するアイコンの場合には、音楽ファイルを再生するアプリケーションが起動し、音楽の再生が行われる。
【００６８】
また、Ｓ２７において移動表示されたアイコン１２Ａ、１２Ｂ、１２Ｃが決定されていないと判定された場合には、制御が完了する。
【００６９】
次に、指５０が表示面１１ａの検出エリア１４上の空間において決定領域１８から移動表示領域１７に移動した場合について説明する。
【００７０】
指５０が検出エリア１４上の決定領域１８に存在している場合には、Ｓ２２の制御によって変更アイコン３０は画面上から消去されている。この状態において、Ｓ３０において、第６検出部３１によって決定領域１８から移動表示領域１７へと指５０が通過したことが検出され、第８検出部３４によって移動表示領域１７へと指５０が進入した位置（面Ｑを通過する指５０のＸＹ座標の位置）が検出される。この第８検出部３４によってＸＹ座標が検出され、指５０の移動が検出エリア１４上の空間で行われたかが分かる。尚、本実施の形態では、静電容量方式を用いた非接触入力部１５によって、決定領域１８から移動表示領域１７へと指５０が通過したことと、指５０が移動表示領域１７に進入した際の面Ｑ上のＸＹ座標の位置は同時に検出される。
【００７１】
具体的には、あるサンプリング時における指５０の位置が決定領域１８内で検出され、次のサンプリング時における指５０の位置が移動表示領域１７内で検出された場合には、指５０が決定領域１８から移動表示領域１７へと移動したことが分かる。また、この時の移動表示領域１７内で検出された指５０の位置を、移動表示領域１７へと指が進入した位置（面Ｑを通過する指５０のＸＹ座標の位置）とすることが出来る。尚、最後に決定領域１８内で検出された指５０の位置を移動表示領域１７へと指が進入した位置としても良いし、上記２つのサンプリング時における移動表示領域１７内の指５０の位置と決定領域１８内の指５０の位置を結ぶ線と面Ｑとの交点が、決定領域１８へと指５０が進入した位置としてもよい。
【００７２】
すると、Ｓ３１において変更アイコン表示部２３によって変更アイコン３０が元に表示されていた位置に再び表示され、制御が完了する。
【００７３】
なお、図７（ｂ）に示すように、アイコン１２Ｄ、１２Ｅ、１２Ｆが移動表示された後、第６検出部３１及び第８検出部３４によって検出エリア１４上の空間において決定領域１８から移動表示領域１７へと指５０が通過したことが検出されると、図７（ｃ）に示すように変更アイコン３０が表示される。その後、上述したように移動表示領域１７から決定領域１８へと指５０を移動させることによって、変更アイコン３０、アイコン１２Ｄ、１２Ｅ、１２Ｆのいずれかを決定することが出来る。尚、図７（ｄ）では、アイコン１２Ｄを決定する状態が示されている。
【００７４】
次に、指５０が表示面１１ａの検出エリア１４上の空間において移動表示領域１７から非検出領域１９へと移動した場合について説明する。
【００７５】
指５０が検出エリア１４上の移動表示領域１７に存在する時には、Ｓ１１及びＳ３１によって変更アイコン３０が画面上に表示されている。この状態で、Ｓ４０において第３検出部２４によって、検出エリア１４上の空間において指５０が移動表示領域１７から非検出領域１９へと通過したことが検出され、第７検出部３３によって非検出領域１９へと指５０が進入した位置（面Ｐを通過する指５０のＸＹ座標の位置）が検出される。この第７検出部３３によって指５０のＸＹ座標が検出され、指５０の移動が検出エリア１４上の空間で行われたかが分かる。尚、本実施の形態では、静電容量方式を用いた非接触入力部１５によって、移動表示領域１７から非検出領域１９へと指５０が通過したことと、指５０が非検出領域１９に進入した際の面Ｐ上のＸＹ座標の位置は同時に検出される。
【００７６】
具体的には、あるサンプリング時における指５０の位置が移動表示領域１７内の位置で検出され、次のサンプリング時において指５０の位置が検出されなかった場合、指５０が、移動表示領域１７から非検出領域１９へと移動したことが分かる。更に、この時の指５０が検出された移動表示領域１７内の位置が、指５０が非検出領域１９へ進入した際の面Ｐ上のＸＹ座標の位置とすることが出来る。
【００７７】
すると、Ｓ４１において変更アイコン表示部２３は、変更アイコン３０を消去する。
【００７８】
そして、Ｓ４２において図８に示すように、アイコン移動描画部２２によって、移動表示されたアイコン１２Ａ、１２Ｂ、１２Ｃが、アイコン１２Ｃ、１２Ｂ、１２Ａの順に元の状態に戻され、制御が完了する（図８に示されている１、２、３の番号順）。
【００７９】
次に、指５０が表示面１１ａの表示エリア１３上の空間において移動表示領域１７から決定領域１８へと移動した場合について説明する。
【００８０】
Ｓ５０において、第４検出部２５によって移動表示領域１７から決定領域１８へと指５０が通過したことが検出されると、第５検出部２６によって指５０が移動表示領域１７から決定領域１８へと通過した位置の検出が行われる。この第５検出部２６によって指５０のＸＹ座標が検出され、指５０の移動が表示エリア１３上の空間で行われたかが分かる。
【００８１】
次に、Ｓ５１において、決定位置判定部２７によって、第５検出部２６によって検出された指５０の位置の直下に、どのアイコンが表示されているかが判定され、表示されているアイコン１２が指によって決定されたものとする。
【００８２】
そして、Ｓ５２において、図１に示すような移動表示されていない状態のアイコン１２のうちいずれかのアイコンが決定されたと判定された場合には、指示部２８によってアイコンごとに割り当てられたアプリケーションが起動され、制御が完了する。
【００８３】
一方、いずれかのアイコンが決定されたと判定されていない場合にも制御は完了する。
【００８４】
以上のように、本実施の形態では、情報端末に存在する複数のアイコンのうち選択されたアイコンのみを指の近傍に移動させて表示させるため、情報端末に大量のアイコンが存在していたとしても所望するアイコンを見付けやすい。
【００８５】
また、本実施の形態では、移動表示されるアイコン１２は１つずつ順番に移動表示され集められるため、ユーザは元の状態を認識することが出来る。そのため、ユーザは、アイコンの元の状態を学習することが出来るので、表示エリア１３に指を近づけ直接アイコン１２を決定する際にも所望するアイコン１２の位置を探さずに迅速に決定することが可能となる。
【００８６】
また、本実施の形態では、アイコン１２を元の状態に戻す際にも、１つずつ順に戻すことによって、ユーザにアイコンの元の位置を更に学習させることが可能となる。
【００８７】
また、本実施の形態では、決定領域１８から移動表示領域１７へと指５０が移動した際に、Ｓ２２に示すように変更アイコン３０を消去することによって、指５０が決定領域１８に存在することをユーザに認識させることが出来る。このため、ユーザは変更アイコン３０、及び移動表示されているアイコン１２のいずれかを決定する際には、移動表示領域１７へと指を移動させる必要があることを認識出来る。また、決定領域１８から移動表示領域１７へと指５０を移動させた場合、Ｓ３１に示したように変更アイコン３０を表示させることによって、指５０が移動表示領域１７に存在することをユーザに認識させることが出来る。
【００８８】
尚、上記構成は一例としてコンピュータによって実現可能であり、例えば図９に示すような情報端末の構成として実現出来る。
【００８９】
図９に示す情報端末では、出力デバイス４１と、入力デバイス４２と、映像処理部４３と、ＣＰＵ処理部４４と、メモリ４５が設けられている。入力デバイス４２として上記非接触入力部１５が用いられるが、更に、電源スイッチや、タッチセンサ、キー、トラックボールなどの接触入力部が設けられていても良い。出力デバイス４１として上記表示部１１が用いられており、更に、ボリューム変更やイコイライザ設定などを行って音声を出力する音声出力部４１２が設けられている。この音声出力部４１２としては、ＤＡＣやアンプと、スピーカー、ヘッドフォンなどが挙げられる。映像処理部４３には、圧縮された音声、映像データをデコードするためのデコード部４３１と、アイコンの表示・移動、及びデコードされた映像の回転・拡大・縮小等を行う描画処理部４３２が設けられており、上記アイコン移動描画部２２と変更アイコン表示部２３とは、描画処理部４３２に含まれている。ＣＰＵ処理部４４には、上記決定位置判定部２７、指示部２８、及び移動アイコン選択部２９が設けられている。メモリ４５は、揮発領域と不揮発領域を含み、具体的に、ＤＲＡＭ（Dynamic Random Access Memory）等の揮発性メモリ、フラッシュメモリなどの不揮発性メモリやハードディスク装置などで構成されている。メモリ４５には、複数のアイコンに関する複数のアプリケーション４５１や、音楽や映像、写真などのコンテンツ４５２が設けられている。
【００９０】
なお、本実施の形態では、検出エリア１４の上方の空間において非検出領域１９から移動表示領域１７に指が移動した場合、図５（ｂ）に示すようにアイコン１２Ａ、１２Ｂ、１２Ｃのみが変更アイコン３０の周囲に移動表示されているが、図１０に示すように、予め設けられた所定の選択規則に従って選択されて移動表示されたアイコン１２Ａ、１２Ｂ、１２Ｃに加えて、所定の選択規則と異なる他の所定の選択規則に従って選択されたアイコン１２Ｄ、１２Ｅ、１２Ｆも移動表示されてもよい。その際、優先順位の高い規則及び優先順位の高いアイコン順に移動表示させるようにしてもよい。図１０に示す場合、アイコン１２Ａ、１２Ｂ、１２Ｃ、１２Ｄ、１２Ｅ、１２Ｆは、図中の番号１、２、３、４、５、６の順に移動表示される。
【００９１】
また、本発明の変更画面部品の一例は、本実施の形態の変更アイコン３０に相当し、本発明の変更画面部品表示部の一例は、本実施の形態の変更アイコン表示部２３に相当し、本実施の形態では、所定の選択規則に従って選択された移動表示されたアイコンを元の状態へ戻し、他の所定の選択規則に従って選択されたアイコン（他の種類のアイコン）を移動表示させる変更アイコン３０が表示されている。しかしながら、移動表示されたアイコンを元の状態に戻さずに、その周囲に他の種類のアイコンを追加して移動表示させるようにしてもよい。すなわち、非検出領域１９から移動表示領域１７に指が移動した場合、変更アイコン表示部２３の代わりに設けられる追加アイコン表示部によって、図１１（ａ）に示すようにアイコン１２Ａ、１２Ｂ、１２Ｃのみが追加アイコン３２の周囲に移動表示され、追加アイコン３２を決定することによって、図１１（ｂ）に示すように、追加アイコン３２は消去され、アイコン１２Ａ、１２Ｂ、１２Ｃの周囲に他の種類のアイコン１２Ｄ、１２Ｅ、１２Ｆが移動表示される。尚、本発明の追加画面部品表示部の一例は、本実施の形態の追加アイコン表示部に相当し、本発明の追加画面部品の一例は、本実施の形態の追加アイコン３２に相当する。又、アイコン１２Ａ、１２Ｂ、１２Ｃの周囲の、他の種類のアイコン１２Ｄ、１２Ｅ、１２Ｆの位置が、本発明の第２表示規則により得られる表示面上の位置の一例に相当する。
【００９２】
又、図５（ｂ）では１つの所定の選択規則に従って選択されたアイコン１２の数が３つ（アイコン１２Ａ、１２Ｂ、１２Ｃ）であるが、１つの所定の選択規則に従って選択されたアイコン１２の数が多く、例えば６つの場合（アイコン１２Ａ、１２Ｂ、１２Ｃ、１２Ｄ、１２Ｅ、１２Ｆが決定された場合）、アイコン１２Ａ、１２Ｂ、１２Ｃの周囲に更にアイコン１２Ｄ、１２Ｅ、１２Ｆを移動表示させるようにしてもよい。
【００９３】
また、上記説明では、移動表示されるアイコン１２は、移動する前の位置は表示面１１ａに表示されているが、表示面１１ａに表示されておらず画面をスクロールすることによって表示されるアイコンが変更アイコン３０の周囲に移動しても良い。例・BR>ヲば選択されたアイコン１２Ａ、１２Ｂ、１２Ｃのうちアイコン１２Ｃが表示面１１ａに表れていないとすると、図１２（ａ）に示すように、はじめにアイコン１２Ａ、１２Ｂが順に変更アイコン３０の周囲に移動表示される。そして、次に、図１２（ｂ）に示すように、アイコン１２Ｃが表示面１１ａ上に表示されるように画面がスクロールされる（矢印Ｓ参照）。表示面１１ａにアイコン１２Ｃが表示された後、図１２（ｃ）に示すように、アイコン１２Ｃが変更アイコン３０の周囲に移動表示される。
【００９４】
このように、一旦スクロールしてアイコン１２Ｃを表示させてから移動表示させることによって、表示面１１ａに表示されていない場合であっても、ユーザがアイコンの元の状態を学習することが出来る。
【００９５】
また、図１のようなアイコンの表示に限らなくても良く、例えば、図１３（ａ）に示すような配列で、複数のアイコン１２が表示されていても良い。図１３（ａ）では、音楽アルバムのジャケット画像のアイコン１２Ａ、１２Ｂ、１２Ｃ、１２Ｄ、１２Ｅ、１２Ｆが縦に並んで表示されており、その右側には、各音楽アルバムの題名と演奏者などが表示されている。このような構成において、表示面１１ａの下側に配置されている検出エリア１４上の空間において非検出領域１９から移動表示領域１７へと指が移動した場合、図１３（ｂ）に示すように指の直下に変更アイコン３０が表示されるとともに、予め設けられている選択規則（例えば、最新曲順）に基づいて選択されたアイコン１２Ｂ、１２Ｅ、１２Ｄが変更アイコン３０の上側に一列に移動表示される。また、図５（ｂ）では、上記実施の形態では、移動表示されるアイコン１２Ａ、１２Ｂ、１２Ｃは、変更アイコン３０の中心から距離ｎの位置に表示されていたが、図１３（ｂ）に示すように同じ距離に限らなくても良く、アイコン１２毎に変更アイコン３０との距離を変更しても良い。
【００９６】
（実施の形態２）
次に、本発明にかかる実施の形態２における情報端末について説明する。
【００９７】
本実施の形態２の情報端末は、実施の形態１と基本的な構成は同じであるが、検出エリアが左側と右側で分けられている点が異なっている。そのため、本相違点を中心に説明する。尚、実施の形態１と同様の構成については同一の符号が付されている。
【００９８】
図１４は、本実施の形態２の情報端末４０の正面図である。図１４に示すように、本実施の形態２の情報端末４０では、検出エリア１４が図中左側の第１検出エリア１４ａと図中右側の第２検出エリア１４ｂに分けられている。
【００９９】
本実施の形態２の情報端末４０では、第１検出エリア１４ａ上の空間において非検出領域１９から移動表示領域１７へと指５０が移動した場合、図１５（ａ）に示すように変更アイコン３０が表示され、予め設けられている所定の選択規則に基づいて選択されたアイコン１２Ａ、１２Ｂ、１２Ｃが１つずつ順に変更アイコン３０の周囲に移動表示される。
【０１００】
一方、第２検出エリア１４ｂ上の空間において非検出領域１９から移動表示領域１７へと指５０が移動した場合、図１５（ｂ）に示すように変更アイコン３０が表示され、上記とは異なった選択規則に基づいて選択されたアイコン１２Ｄ、１２Ｅ、１２Ｆが変更アイコン３０の周囲に移動表示される。尚、変更アイコン３０を決定することによって、移動表示されているアイコンが元の状態に戻され、他の規則に基づいて選択されたアイコンが移動表示される。
【０１０１】
以上のように、本実施の形態２では、検出エリア１４を第１検出エリア１４ａと第２検出エリア１４ｂとに分けることによって、例えば、第１検出エリア１４ａで検出した場合には、ゲームに関するアイコンが移動表示され、第２検出エリア１４ｂで検出した場合には、ネットアプリケーションに関するアイコンが移動表示されるように設定することによって目的のアイコンをよりはやく発見することが出来る。
【０１０２】
尚、本実施の形態２では、第１検出エリア１４ａと第２検出エリア１４ｂでは、移動表示されるアイコン群が全く異なっているが、一部が重なっていても良い。本発明の画面部品の群の一例は、アイコン１２Ａ、１２Ｂ、１２Ｃ又はアイコン１２Ｄ、１２Ｅ、１２Ｆに相当する。
【０１０３】
（実施の形態３）
次に、本発明にかかる実施の形態３における情報端末について説明する。
【０１０４】
本実施の形態３の情報端末は、実施の形態１と基本的な構成は同じであるが、移動表示領域１７が表示部１１と平行な方向に複数に分割されており、指５０が表示部１１に近づくにつれて、選択されたアイコンが徐々に近づいてくるように制御が行われる点が異なっている。そのため、本相違点を中心に説明する。
【０１０５】
図１６は、本実施の形態３の表示部１１及びその上側に配置された非接触入力部１５の側断面構成図である。図１６に示すように、本実施の形態３の情報端末６０では、移動表示領域１７が、表示部１１と平行な方向にｎ個（ｎは１以上の自然数）の領域に分割されている。実施の形態１のＺ１、Ｐを、それぞれＺ１１、Ｐ１とし、Ｚ１１〜Ｚ２の間にＺ１２〜Ｚ１ｎのポイントが設けられており、それらのポイントにおける表示面１１ａと平行な面が面Ｐ１〜面Ｐｎとして点線で図示されている。又、面Ｐ１〜面Ｐｎのそれぞれの面の間の領域を移動表示領域１７１〜１７ｎとする。
【０１０６】
次に、指５０が表示面１１ａに近づく場合の検出について説明する。
【０１０７】
第１検出部２０によって、指５０が非検出領域１９から移動表示領域１７１〜１７ｎのいずれかの移動表示領域１７ｋ（１≦ｋ≦ｎ  ｋは自然数）に進入したことが検出されるとともに、第２検出部２１によって、指５０が進入した移動表示領域１７ｋの上側の面Ｐｋにおける、移動表示領域１７ｋに指５０が進入した位置が検出される。具体的には、あるサンプリング時における指５０の位置が検出されず、次のサンプリング時において指５０が移動表示領域１７１〜１７ｎ内のいずれかの移動表示領域１７ｋ内の位置で検出された場合、指５０が、非検出領域１９から移動表示領域１７ｋへと移動したことが分かる。更に、この時の指５０が検出された移動表示領域１７ｋ内の位置が、指５０が移動表示領域１７ｋへ進入した際の面Ｐｋ上のＸＹ座標の位置とすることが出来る。
【０１０８】
又、第１検出部２０によって、移動表示領域１７１〜１７ｋ−１のいずれかの移動表示領域から移動表示領域１７ｋに指５０が進入したことが検出されるとともに、第２検出部２１によって、移動表示領域１７ｋの上側の面Ｐｋにおける、指５０が移動表示領域１７ｋに進入した位置が検出される。具体的には、あるサンプリング時における指５０の位置が、移動表示領域１７ｋよりも上側の移動表示領域１７１〜１７ｋ―１のいずれかの移動表示領域内で検出され、次のサンプリング時における指５０の位置が移動表示領域１７ｋ内で検出された場合には、指５０が移動表示領域１７ｋへと移動したことが分かる。また、この時の移動表示領域１７ｋ内で検出された指５０の位置を、移動表示領域１７ｋへと指５０が進入した位置（面Ｐｋを通過する指５０のＸＹ座標の位置）とすることが出来る。尚、最後に移動表示領域１７１〜１７ｋ−１内のいずれかの領域内で検出された指５０の位置を移動表示領域１７ｋへと指５０が進入した位置としても良いし、上記２つのサンプリング時における指５０の位置を結ぶ線と面Ｐｋとの交点を、移動表示領域１７ｋへと指５０が進入した位置としてもよい。
【０１０９】
第４検出部２５によって、移動表示領域１７１〜１７ｎのいずれかの移動表示領域１７ｋから決定領域１８へと指５０が進入したことが検出されるとともに、第５検出部２６によって、決定領域１８の上側の面Ｑにおける、指５０が決定領域１８に進入した位置が検出される。具体的には、あるサンプリング時における指５０の位置が、移動表示領域１７ｋ内で検出され、次のサンプリング時における指５０の位置が決定領域１８内で検出された場合には、指５０が移動表示領域１７ｋから決定領域１８へと移動したことが分かる。また、この時の決定領域１８内で検出された指５０の位置を、決定領域１８へと指５０が進入した位置（面Ｑを通過する指５０のＸＹ座標の位置）とすることが出来る。尚、上記移動表示領域１７ｋ内で検出された指５０の位置を決定領域１８へと指５０が進入した位置としても良いし、上記２つのサンプリング時における指５０の位置を結ぶ線と面Ｑとの交点を、決定領域１８へと指５０が進入した位置としてもよい。
【０１１０】
次に、指５０が表示面１１ａから離れる場合の検出について説明する。
【０１１１】
第６検出部３１によって、決定領域１８から移動表示領域１７１〜１７ｎのいずれかの移動表示領域１７ｋへと指５０が進入したことが検出されるとともに、第８検出部３４によって、移動表示領域１７ｋの下側の面Ｐｋ＋１における、指５０が移動表示領域１７ｋに進入した位置が検出される。具体的には、あるサンプリング時における指５０の位置が、決定領域１８内で検出され、次のサンプリング時における指５０の位置が移動表示領域１７ｋ内で検出された場合には、指５０が決定領域１８から移動表示領域１７ｋへと移動したことが分かる。また、この時の移動表示領域１７ｋ内で検出された指５０の位置を、移動表示領域１７ｋへと指５０が進入した位置（面Ｐｋ＋１を通過する指５０のＸＹ座標の位置）とすることが出来る。尚、最後に決定領域１８内で検出された指５０の位置を移動表示領域１７ｋへと指５０が進入した位置としても良いし、上記２つのサンプリング時における位置を結ぶ線と面Ｐｋ＋１との交点が、移動表示領域１７ｋへと指５０が進入した位置としてもよい。
【０１１２】
第３検出部２４によって、移動表示領域１７ｋ＋１〜１７ｎのいずれかの移動表示領域から移動表示領域１７ｋ（１≦ｋ≦ｎ  ｋは自然数）に指５０が進入したことが検出されるとともに、第７検出部２１によって、移動表示領域１７ｋの下側の面面Ｐｋ＋１における、指５０が移動表示領域１７ｋに進入した位置が検出される。具体的には、あるサンプリング時における指５０の位置が、移動表示領域１７ｋ＋１〜１７ｎのいずれかの移動表示領域内で検出され、次のサンプリング時における指５０の位置が移動表示領域１７ｋ内で検出された場合には、指５０が移動表示領域１７ｋへと移動したことが分かる。また、この時の移動表示領域１７ｋ内で検出された指５０の位置を、移動表示領域１７ｋへと指５０が進入した位置（面Ｐｋ＋１を通過する指５０のＸＹ座標の位置）とすることが出来る。尚、最後に移動表示領域１７ｋ＋１〜１７ｎのいずれかの移動表示領域内で検出された指５０の位置を移動表示領域１７ｋへと指５０が進入した位置としても良いし、上記２つのサンプリング時における指５０の位置を結ぶ線と面Ｐｋ＋１との交点を、移動表示領域１７ｋへと指５０が進入した位置としてもよい。
【０１１３】
又、第３検出部２４によって、指５０が移動表示領域１７１〜ｎのいずれかの移動表示領域１７ｋから非検出領域１９に進入したことが検出されるとともに、第７検出部３３によって、面Ｐ１における、指５０が非検出領域１９に進入した位置が検出される。具体的には、あるサンプリング時における指５０の位置が移動表示領域１７ｋ内の位置で検出され、次のサンプリング時において指５０の位置が検出されなかった場合、指５０が、移動表示領域１７ｋから非検出領域１９へと移動したことが分かる。更に、この時の指５０が検出された移動表示領域１７ｋ内の位置が、指５０が非検出領域１９へ進入した際の面Ｐ１上のＸＹ座標の位置とすることが出来る。
【０１１４】
尚、本発明のｎ種類の所定距離の一例は、本実施の形態のＺ１１と非接触入力部１５の厚みｈ（図２（ａ）参照）を足した長さ、Ｚ１２とｈを足した長さ、・・・、及びＺ１ｎとｈを足した長さに相当する。
【０１１５】
次に、本実施の形態３の情報端末６０の動作についてｎ＝９の場合を例に挙げて説明する。
【０１１６】
はじめに、変更アイコン３０の周囲におけるアイコン１２Ａ、１２Ｂ、１２Ｃの表示位置について説明する。図１７（ａ）、（ｂ）は、変更アイコン３０の表示されている位置が異なっている場合に、アイコン１２Ａ、１２Ｂ、１２Ｃが移動表示される位置を示す図である。
【０１１７】
図１７（ａ）、（ｂ）に示すように、変更アイコン３０の表示位置によってアイコン１２Ａ、１２Ｂ、１２Ｃの表示される位置は予め決められている。すなわち、図１７（ａ）に示すように変更アイコン３０が左端に表示されている場合には変更アイコン３０の右側よりの周囲にアイコン１２Ａ、１２Ｂ、１２Ｃが表示されており、図１７（ｂ）に示すように変更アイコン３０が中央に表示されている場合には、左右の周囲に均等にアイコン１２Ａ、１２Ｂ、１２Ｃが配置されている。このように、変更アイコン３０が表示される位置によってアイコン１２Ａ、１２Ｂ、１２Ｃが表示される位置（以下、到達位置ともいう）が異なっている。
【０１１８】
図１８〜図２３は、本実施の形態３の情報端末６０の動作を説明するための図である。各図の（ａ）は、本実施の形態３の情報端末６０の表示面１１ａを示す平面図であり、各図の（ｂ）は、本実施の形態３の情報端末６０の底面図である。
【０１１９】
図１８（ａ）、（ｂ）は、情報端末６０の初期状態を示す図である。このような状態から、図１９（ａ）、（ｂ）に示すように、表示面１１ａの検出エリア１４上の空間において指５０が非表示領域１９から移動表示領域１７１に入ると、第１検出部２０によって、指５０が非検出領域１９から移動表示領域１７１に進入したことが検出されるとともに、第２検出部２１によって指５０が移動表示領域１７１に進入した位置が検出される。そして、図１９（ａ）、（ｂ）に示すように、この指５０が移動表示領域１７１に進入した位置の直下に変更アイコン３０が表示される。そして、この変更アイコン３０の位置に基づいて、アイコン１２Ａ、１２Ｂ、１２Ｃの到達位置が予め決められメモリに記憶されている。図１９（ａ）では、このアイコン１２Ａ、１２Ｂ、１２Ｃの到達位置がそれぞれＡ１、Ｂ１、Ｃ１として一点鎖線で示されている。
【０１２０】
アイコン１２Ａは、初期状態の位置（図１８（ａ）参照）から、アイコン１２Ａの到達位置（図１９（ａ）のＡ１参照）に向かって、その間の距離の３分の１（約０．３３倍）進んだ位置まで移動表示され、アイコン１２Ｂは、初期状態の位置（図１８（ａ）参照）から、アイコン１２Ｂの到達位置（図１９（ａ）のＢ１参照）に向かって、その間の距離の６分の１（約０．１７倍）進んだ位置まで移動表示され、アイコン１２Ｃは、初期状態の位置（図１８（ａ）参照）から、アイコン１２Ｃの到達位置（図１９（ａ）のＣ１参照）に向かって、その間の距離の９分の１（０．１１倍）進んだ位置まで移動表示される。
【０１２１】
次に、図２０（ａ）、（ｂ）に示すように、指５０が移動表示領域１７１から移動表示領域１７２に入ると、第１検出部２０によって、その指５０の移動が検出されるとともに、第２検出部２１によって移動表示領域１７２に進入した位置が検出され、その位置の直下に変更アイコン３０が移動表示される。ここで、変更アイコン３０は指の移動に合わせて移動しているため、アイコン１２Ａ、１２Ｂ、１２Ｃが到達する、変更アイコン３０の周囲の到達位置も変更される。図２０（ａ）では、このアイコン１２Ａ、１２Ｂ、１２Ｃの到達位置がそれぞれＡ２、Ｂ２、Ｃ２として一点鎖線で示されている。
【０１２２】
そして、アイコン１２Ａは、初期状態の位置（図１８（ａ）参照）からアイコン１２Ａの到達位置（図２０（ａ）のＡ２参照）に向かって、その間の距離の３分の２（０．６６倍）進んだ位置まで、図１９（ａ）に示す表示位置から移動表示され、アイコン１２Ｂは、初期状態の位置（図１８（ａ）参照）からアイコン１２Ｂの到達位置（図２０（ａ）のＢ２参照）に向かって、その間の距離の６分の２（約０．３３）進んだ位置まで、図１９（ａ）に示す表示位置から移動表示され、アイコン１２Ｃは、初期状態の位置（図１８（ａ）参照）からアイコン１２Ｃの到達位置（図２０（ａ）のＣ２参照）に向かって、その間の距離の９分の２（約０．２２倍）進んだ位置まで図１９（ａ）に示す表示位置から移動表示される。
【０１２３】
続いて、図２１（ａ）、（ｂ）に示すように、指５０が移動表示領域１７２から移動表示領域１７３に進入したことが検出されると、移動表示領域１７３に進入した位置の直下に変更アイコン３０が移動表示され、アイコン１２Ａ、１２Ｂ、１２Ｃの到達位置は再び変更される。図２１（ａ）では、このアイコン１２Ｂ、１２Ｃの到達位置がそれぞれＢ３、Ｃ３として一点鎖線で示されている。
【０１２４】
そして、アイコン１２Ａは、図２０（ａ）に示す表示位置から、変更された到達位置まで移動表示され、アイコン１２Ｂは、初期状態の位置（図１８（ａ）参照）からアイコン１２Ｂの到達位置（図２１（ａ）のＢ３参照）に向かって、その間の距離の６分の３（約０．５倍）進んだ位置まで、図２０（ａ）に示す表示位置から移動表示され、アイコン１２Ｃは、初期状態の位置（図１８（ａ）参照）からアイコン１２Ｃの到達位置（図２１（ａ）のＣ３参照）に向かって、その間の距離の９分の３（０．３３倍）進んだ位置まで図２０（ａ）に示す表示位置から移動表示される。尚、このように、指５０が移動する移動表示領域と、指５０の位置から予め決定されている変更アイコン３０の周囲のアイコンの到達位置と、初期位置に基づいて行う演算が、本発明の表示規則の一例に相当する。又、本発明の表示規則により得られる表示面の位置の一例は、本実施の形態の図１９〜図２２に示すアイコン１２Ａ、１２Ｂ、１２Ｃが移動表示される位置に相当する。
【０１２５】
同様に、指５０が表示画面１１ａに近づくにつれて、アイコン１２Ｂ、１２Ｃも順に移動表示され、指５０が、移動表示領域１７９に入ると、図２２（ａ）、（ｂ）に示すように、変更アイコン３０の周囲の所定の到達位置にアイコン１２Ａ、１２Ｂ、１２Ｃが表示されることになる。尚、アイコン１２Ａ、１２Ｂは、一旦到達位置に達した後は、常に、変更アイコン３０の周囲の到達位置まで移動表示される。
【０１２６】
このように、上記例では、アイコン１２Ａは、移動表示領域１７３に指５０が移動した時に、その到達位置に表示され、アイコン１２Ｂは、移動表示領域１７６に指５０が移動した時に、その到達位置に表示され、アイコン１２Ｃは、移動表示領域１７９に指５０が移動した時に、その到達位置に表示される。
【０１２７】
以上のように制御を行うことにより、指５０が表示面１１ａに近づくにつれてアイコン１２Ａ、１２Ｂ、１２Ｃが徐々にユーザの指先に集まってくるようにアイコンを移動表示させることが出来る。また、ｎを大きくすることによって、より連続的に集まってくるように見える。
【０１２８】
又、上記表示規則では、指５０が移動表示領域１７３に移動した際に、アイコン１２Ａが変更アイコン３０の周囲の到達位置に到達しているが、このアイコン１２Ａが到達する時の移動表示領域を他の移動表示領域（例えば、移動表示領域１７５等）としてもよい。さらに、各表示領域における移動表示される位置を変更してもよい。このように、各アイコンが到達位置に表示される際の移動表示領域の設定、及び各アイコンの各移動表示領域において移動表示される位置は適宜変更しても良い。
【０１２９】
又、上記説明では、指５０が、移動表示領域１７１に入ると、アイコン１２Ａ、１２Ｂ、１２Ｃが全て移動して表示されていたが、例えば、１つのアイコンが到達位置に移動表示された後に、他の１つのアイコンの移動表示が開始されてもよい。この場合、例えば、ｎ＝９では、ｎ＝３でアイコン１２Ａが到達位置まで移動表示されてから、アイコン１２Ｂの移動表示が開始され、ｎ＝６でアイコン１２Ｂが到達位置まで移動表示されてから、アイコン１２Ｃの移動表示が開始される。
【０１３０】
要するに、優先順位の高いアイコンの方が、より速く変更アイコン３０の周囲のそれぞれの到達位置に表示されるように、各移動表示領域１７１〜１７ｎに指が移動したときに各アイコンが移動表示される位置が設定されていればよい。
【０１３１】
次に、図２２（ａ）、（ｂ）に示す状態から、図２３（ａ）、（ｂ）に示すように、移動表示領域１７９から決定領域１８に指５０が入ると、その進入した位置の直下のアイコンが決定される。図２３（ａ）、（ｂ）では、アイコン１２Ｃが決定されたことになる。このように複数のアイコン１２のうちのいずれかのアイコンが決定された場合には、指示部２８によってアイコンごとに割り当てられたアプリケーションが起動される。
【０１３２】
一方、変更アイコン３０が決定された場合には、図７（ａ）、（ｂ）と同様に、アイコン１２Ａ、１２Ｂ、１２Ｃが順に初期位置へと戻り、他の所定の選択規則によって選択されたアイコン１２Ｄ、１２Ｅ、１２Ｆが変更アイコン３０の周囲の所定の位置に順に移動表示される。この変更アイコン３０の周囲の所定の位置は、予め決められメモリに記憶されており、この予め決められていることが、第２表示規則の一例に相当する。そして、本発明の第２表示規則により得られる表示面の位置の一例は、本実施の形態の変更アイコン３０の周囲の図７（ｂ）に示す所定の位置に相当する。
【０１３３】
また、変更アイコン３０及びアイコン１２Ａ、１２Ｂ、１２Ｃのいずれのアイコンも決定せず、移動表示領域１７において指５０を表示面１１ａから遠ざけた場合には、図１８〜図２２と逆の動作でアイコン１２Ａ、１２Ｂ、１２Ｃが元の状態（初期位置）に戻っていく。
【０１３４】
すなわち、指５０が移動表示領域１７９に存在している状態（図２０参照）から移動表示領域１７８に向かって、表示面１１ａから離れるように移動すると、アイコン１２Ｃが、変更アイコン３０の周囲の到達位置から初期位置に向けて、その距離の９分の１（約０．１１倍）だけ進んだ位置まで移動表示される。続いて、指５０が、移動表示領域１７８から移動表示領域１７７に移動すると、アイコン１２Ｃが、変更アイコンの周囲の到達位置から初期位置に向けて、その距離の９分の２（約０．２２倍）だけ進んだ位置まで、前の表示位置から移動表示される。この際、変更アイコン３０の周囲の到達位置は、水平方向の指５０の位置が移動すると、それに伴って移動する。
【０１３５】
又、指５０が移動表示領域１７６から移動表示領域１７５に移動すると、アイコン１２Ｂが変更アイコン３０の周囲の到達位置から初期位置に向けて、その距離の６分の１（約０．１７倍）だけ進んだ位置まで、前の表示位置から移動表示されるとともに、アイコン１２Ｃが変更アイコン３０の周囲の到達位置から初期位置に向けて、その距離の９分の４（約０．４４倍）だけ進んだ位置まで、前の表示位置から移動表示される。
【０１３６】
更に、指５０が移動表示領域１７３から移動表示領域１７２に移動すると、アイコン１２Ａが変更アイコン３０の周囲の到達位置から初期位置に向けて、その距離の３分の１（約０．３３）だけ進んだ位置まで、前の表示位置から移動表示され、アイコン１２Ｂが変更アイコン３０の周囲の到達位置から初期位置に向けて、その距離の６分の４（約０．６７）だけ進んだ位置まで、前の表示位置から移動表示され、アイコン１２Ｃが変更アイコン３０の周囲の到達位置から初期位置に向けて、その距離の９分の７（約０．７８）だけ進んだ位置まで、前の表示位置から移動表示される。尚、このような移動表示領域１７における、表示面１１ａから離れる方向への指５０の移動は第３検出部２１と第７検出部３３によって検出される。すなわち、第３検出部２１によって下側から上側の領域への指５０の移動が検出されるとともに、第７検出部３３によって上側の領域へ指５０が進入した位置が検出される。
【０１３７】
以上のようにして、指５０が移動表示領域１７１から非表示領域１９へと移動した時には、アイコン１２Ａ、１２Ｂ、１２Ｃの全てが、初期位置に戻される。尚、この制御方法では、指５０が移動表示領域１７１から非表示領域１９へと移動した時に、全てのアイコン１２Ａ、１２Ｂ、１２Ｃが同時に初期位置へと戻され始めることになるが、１つのアイコンが初期位置に戻ってから、他のアイコンが初期位置に戻され始めるように、１つずつアイコンが初期位置に戻されるような制御が行われても良い。
【０１３８】
又、上記説明では、アイコン１２Ａ、１２Ｂ、１２Ｃが移動表示される位置は、演算により求められていたが、それぞれの移動表示領域において、指５０が進入した位置毎に、アイコン１２Ａ、１２Ｂ、１２Ｃのそれぞれが移動表示する位置が予め決められていてもよい。この場合、アイコンを移動表示する位置の表がメモリに記憶されており、その表に基づいて、アイコンが移動表示されることになる。
【０１３９】
尚、上記図１８〜図２３では、指５０が移動表示領域１７１〜１７９のそれぞれの領域毎に連続して検出されていたが、アイコンの移動を連続的に表示させるために、ｎの数を大きくした場合、サンプリング間隔によっては、１つ又は複数の移動表示領域をとばして指５０が検出される場合もある。例えば、表示画面１１ａに指が近づく場合に、移動表示領域１７１の次に移動表示領域１７３で指５０が検出される場合もある。このような場合、ｎ＝９で説明すると、各アイコン１２Ａ、１２Ｂ、１２Ｃは、図１９に示すように表示された後、その表示位置から、図２１に示す表示位置に移動表示される。
【０１４０】
尚、上記実施の形態１、２、３では、決定領域１８が設けられており、移動表示領域１７から決定領域１８に指が移動した際に、その直下に表示されているアイコンが決定されたことになり、決定領域１８が、アイコンの決定の決定領域となるが、決定領域１８が設けられていなくても良い。すなわち、本発明の確定距離がゼロであってもよい。この場合、静電容量方式のタッチパネルを用いることによって、表示面１１ａへの接触によってアイコンの決定を検出することが出来る。
【０１４１】
また、上記実施の形態１、２、３の情報端末１０、４０、６０において、現在の機能がホーム画面機能である場合には、表示面１１ａに表示されているアイコン１２は各種アプリケーションを起動するためのショートカットアイコンである。
【０１４２】
また、上記実施の形態１、２、３の情報端末１０、４０、６０において、現在の機能が音楽再生機能である場合には、表示面１１ａに表示されているアイコン１２は音楽コンテンツのアイコンである。この場合、アイコンとしては、音楽アルバムの縮小画面などを利用出来る。
【０１４３】
また、上記実施の形態１、２、３の情報端末１０、４０、６０において、現在の機能が動画再生機能である場合には、表示面１１ａに表示されているアイコン１２は動画コンテンツのアイコンである。この場合、サムネイルの画像をアイコンとして利用出来る。また、上記実施の形態１、２、３の情報端末１０、４０、６０において、現在の機能が写真表示機能である場合では、表示面１１ａに表示されているアイコン１２は、写真コンテンツのアイコンである。この場合、アイコンとしては、縮小画面、或いはサムネイル画像をアイコンとして利用することが出来る。
【０１４４】
尚、上記実施の形態では、指５０が移動表示領域１７に進入した際には、変更アイコン３０を表示面１１ａに表示させているが、変更アイコン３０を表示させなくても良い。少なくとも、アイコンが１つずつ順に移動表示されることによって、アイコンがどの位置に表示されていたのかをユーザは確認することが出来る。この場合、移動されるアイコンのいずれか一つが、指５０の直下の表示面１１ａの位置に表示されてもよい。
【０１４５】
また、アイコンは必ず１つずつ順に移動表示させる必要はなく、少ない数であれば同時に移動させても良い。
【０１４６】
また、上記実施の形態では、アイコン１２を元の状態に戻す際にも、１つずつ順に戻していたが、元の状態に戻す時には全てのアイコンを同時に戻してもよい。
【０１４７】
また、上記実施の形態では、指の直下の表示面１１ａの位置に変更アイコン３０若しくは追加アイコン３２を表示させていたが、指の直下の表示面１１ａの位置に限らず、指の直下の近傍の表示面１１ａの位置であってもよい。
【０１４８】
また、移動表示されるアイコンの位置も、指の直下の表示面１１ａの位置若しくは指の直下の近傍の表示面１１ａの位置であればよい。
【０１４９】
また、上記実施の形態では、アイコン１２の大きさは同じであるが、移動表示されるアイコンの優先度の高い順に大きくなるようにしてもよい。また、優先度の高い規則のアイコン群が、優先度の低い規則のアイコン群よりも大きくしてもよい。例えば、図１０に示すアイコン１２Ａ、１２Ｂ、１２Ｃを選択する規則が、アイコン１２Ｄ、１２Ｅ、１２Ｆを選択する規則よりも優先度が高い場合、アイコン１２Ａ、１２Ｂ、１２Ｃの大きさを、アイコン１２Ｄ、１２Ｅ、１２Ｆよりも大きくする。
【０１５０】
また、上記実施の形態では、アイコン毎に優先度が決められ、優先度の高い順にアイコン１２を移動表示させていたが、優先度に関係なく順番に移動表示させてもよい。例えば、移動表示させるアイコンを選択する規則が、音楽のジャンルに関係するという規則である場合等に、アイコン毎の優先度が決められていなくても良く、情報端末への登録の順番や変更アイコン３０に近い位置の順番にアイコンが移動表示されればよい。
【０１５１】
また、検出エリア１４は、表示面１１ａの下部に設けられているが、この位置に限らなくても良く、特許文献１のように中央に設けられていても良いし、上部又は左右の端部分に設けられていても良い。
【０１５２】
更に、表示面１１ａ上のアイコン１２が表示されていないエリアを全て検出エリアとしてもよい。
【０１５３】
また、本発明の指示物の一例は、上記実施の形態では、指５０に相当するが、これに限らずスタイラスなどのポインティングデバイスであってもよい。
【０１５４】
尚、本発明のプログラムは、上述した本発明のアイコン表示方法の、各ステップの動作をコンピュータにより実行させるプログラムであって、コンピュータと協働して動作するプログラムである。
【０１５５】
又、本発明の記録媒体は、上述した本発明のアイコン表示方法の各ステップの全部又は一部の動作をコンピュータにより実行させるプログラムを記録した記録媒体であり、コンピュータにより読み取り可能且つ、読み取られた前記プログラムが前記コンピュータと協動して前記動作を実行する記録媒体である。
【０１５６】
又、本発明の上記「各ステップの動作」とは、前記ステップの全部又は一部の動作を意味する。
【０１５７】
又、本発明のプログラムの一利用形態は、コンピュータにより読み取り可能な、ＲＯＭ等の記録媒体に記録され、コンピュータと協働して動作する態様であっても良い。
【０１５８】
又、本発明のプログラムの一利用形態は、インターネット等の伝送媒体、光・電波・音波等の伝送媒体中を伝送し、コンピュータにより読みとられ、コンピュータと協働して動作する態様であっても良い。
【０１５９】
又、上述した本発明のコンピュータは、ＣＰＵ等の純然たるハードウェアに限らず、ファームウェアや、ＯＳ、更に周辺機器を含むものであっても良い。
【０１６０】
尚、以上説明した様に、本発明の構成は、ソフトウェア的に実現しても良いし、ハードウェア的に実現しても良い。
【産業上の利用可能性】
【０１６１】
本発明の情報端末及び画面部品表示方法によれば、所望の画面部品を見付けやすく、画面部品の移動する前の元の状態が分かりやすいという効果を有し、スマートフォン、ＰＤＡなどの情報端末として有用である。
【符号の説明】
【０１６２】
１０、４０  情報端末
１１  表示部
１２  アイコン
１３  表示エリア
１４  検出エリア
１５  非接触入力部
１６  検出領域
１７  移動表示領域
１８  決定領域
１９  非検出領域
２０  第１検出部
２１  第２検出部
２２  アイコン移動描画部
２３  変更アイコン表示部
２４  第３検出部
２５  第４検出部
２６  第５検出部
２７  決定位置判定部
２８  指示部
３０  変更アイコン
【図１】
0005501992.tif 000002
【図２（ａ）】
0005501992.tif 000003
【図２（ｂ）】
0005501992.tif 000004
【図３】
0005501992.tif 000005
【図４】
0005501992.tif 000006
【図５】
0005501992.tif 000007
【図６】
0005501992.tif 000008
【図７（ａ）】
0005501992.tif 000009
【図７（ｂ）】
0005501992.tif 000010
【図７（ｃ）】
0005501992.tif 000011
【図７（ｄ）】
0005501992.tif 000012
【図８】
0005501992.tif 000013
【図９】
0005501992.tif 000014
【図１０】
0005501992.tif 000015
【図１１】
0005501992.tif 000016
【図１２（ａ）】
0005501992.tif 000017
【図１２（ｂ）】
0005501992.tif 000018
【図１２（ｃ）】
0005501992.tif 000019
【図１３】
0005501992.tif 000020
【図１４】
0005501992.tif 000021
【図１５】
0005501992.tif 000022
【図１６】
0005501992.tif 000023
【図１７】
0005501992.tif 000024
【図１８】
0005501992.tif 000025
【図１９】
0005501992.tif 000026
【図２０】
0005501992.tif 000027
【図２１】
0005501992.tif 000028
【図２２】
0005501992.tif 000029
【図２３】
0005501992.tif 000030
【図２４】
0005501992.tif 000031